(57)【要約】【課題】  電磁波の遮蔽性が高く、構造が簡易で、使用勝手の良い電波暗箱を提供する。【解決手段】  本発明の電波暗箱１００は、台座部１と、中空の立体状からなり、台座部１と中空とで閉塞空間を構成する蓋部４とを備え、台座部１の上面には、シート状の電波吸収体２ａが取り付けられ、電波吸収体２ａの周囲には、枠状にソフトシールド材３が取り付けられ、蓋部４の底面には、枠状の折返し部４ｂが形成され、蓋部４の中空を構成する内面には、折返し部４ｂも含めて、シート状の電波吸収体２ｂが取り付けられ、蓋部４の折返し部４ｂが、電波吸収体２ａの周縁部と、ソフトシールド材３に当接するようにした。【選択図】        図１
2012195450.tif 000002
【特許請求の範囲】
【請求項１】
平板状の台座部と、
底面に開口を有する中空の立体状からなり、前記台座部に対して開閉自在で、前記台座部と前記中空とで閉塞空間を構成する蓋部と、を備えた電波暗箱であって、
前記台座部の上面には、少なくとも前記蓋部の前記底面の前記開口が当接する領域を含んで、シート状の電波吸収体が取り付けられ、
前記台座部の上面の、前記電波吸収体の周囲には、枠状に、ソフトシールド材が取り付けられ、
前記蓋部の前記底面の、前記開口の周囲には、枠状の折返し部が形成され、
前記蓋部の前記中空を構成する内面には、前記折返し部も含めて、シート状の電波吸収体が取り付けられ、
前記蓋部の前記底面の前記折返し部が、前記台座に取付けられた前記電波吸収体の周縁部と、前記台座に取付けられたソフトシールド材に当接する電波暗箱。
【請求項２】
前記ソフトシールド材が、ウレタンに金属メッシュを巻き付けたものからなる、請求項１に記載された電波暗箱。
【請求項３】
前記台座部に取付けられた前記ソフトシールド材の厚みが、前記台座部に取付けられた前記電波吸収体の厚みよりも大きい、請求項１または２に記載された電波暗箱。
【請求項４】
前記ソフトシールド材がグランドに接地されている、請求項１ないし３のいずれか１項に記載された電波暗箱。
【請求項５】
前記蓋部のいずれかの側面と平行であり、かつ前記開口を含む、前記台座部および前記蓋部の任意の縦断面を見た場合に、前記蓋部の折返し部が前記台座部に取り付けられた前記電波吸収体に当接する線長が、前記蓋部の折返し部が前記台座部に取り付けられた前記ソフトシールド材に当接する線長よりも大きい、請求項１ないし４のいずれか１項に記載された電波暗箱。
【発明の詳細な説明】
【技術分野】
【０００１】
本発明は、電波暗箱に関し、さらに詳しくは、電磁波の遮蔽性が高く、構造が簡易で、使用勝手の良い電波暗箱に関する。
【背景技術】
【０００２】
携帯電話などの無線装置や高周波モジュールなどの動作試験は、外部からの不要な電磁波が試験結果に影響を与えないよう、また動作試験により発生した電磁波が外部に影響を与えないよう、さらに動作試験により発生した電磁波が反射して試験結果に影響を与えないよう、試験対象を電波暗箱内に収容しておこなうことが一般的である。
【０００３】
電波暗箱としては、たとえば、特許文献１（特開平１０‐９３２８６号公報）に開示されたものが使用される。
【０００４】
図２（Ａ）、（Ｂ）に、特許文献１に開示された電波暗箱２００を示す。ただし、図２（Ａ）は斜視図、図２（Ｂ）は図２（Ａ）の鎖線矢印部分を示す横断面図である。なお、図２（Ａ）は後述する扉部１０３が閉じた状態を示しているが、図２（Ｂ）は扉部１０３が開いた状態を示している。
【０００５】
電波暗箱２００は、金属製で、中空の直方体状からなる筺体１０１を備える。筺体１０１は、側面の１つに開口１０１ａを有する。そして、開口１０１ａには、蝶番１０２により、金属製の扉部１０３が開閉自在に取り付けられている。電波暗箱２００は、金属製の筺体１０１と蓋部１０３とで、外部との間の電磁波の往来を防止している。なお、扉部１０３には、把手１０４が取り付けられている。
【０００６】
電波暗箱２００の、筺体１０１および扉部１０３の内壁には、全面に、シート状の電波吸収体１０５が取り付けられている。電波吸収体１０５は、たとえば、ゴムにフェライト粉を混合したものからなる。電波暗箱２００は、電波吸収体１０５の機能により、内部で発生した電磁波を減衰させ反射させない。
【０００７】
かかる構造からなる電波暗箱２００は、外部からの電磁波の侵入を防ぐことができるため、また内部で発生した電磁波を減衰させ、反射しないようにすることができるため、携帯電話などの動作試験に用いることができる。
【先行技術文献】
【特許文献】
【０００８】
【特許文献１】特開平１０‐９３２８６号公報
【発明の概要】
【発明が解決しようとする課題】
【０００９】
しかしながら、従来の電波暗箱２００は、筺体１０１の開口部１０１ａに、機械的に扉部１０３を取り付けただけであり、この部分の電磁波の遮蔽性が必ずしも十分ではなく、所望の遮蔽性を得ることは難しかった。
【００１０】
この遮蔽性を高めるためには、たとえば、筺体１０１の開口部１０１ａと扉部１０３との間に金属製でバネタイプのガスケットなどを取り付け、かつ、筺体１０１の内部から扉部１０３を吸引し、ガスケットを変形させて、より完全な電磁波の遮蔽空間を形成することが必要であった。
【００１１】
しかしながら、筺体１０１の内部から扉部１０３を吸引するためには、たとえば、真空装置が必要であり、電波暗箱が大型化する、重量が大きくなる、コストが高くなるといった問題があった。
【００１２】
また、真空装置で内部から扉部１０３を吸引する電波暗箱は、試験対象を入れ直すたびに、大気圧からの減圧を繰り返す必要があり、作業性が悪いという問題もあった。
【課題を解決するための手段】
【００１３】
本発明は、上述した従来の電波暗箱の有する問題点を解決するためになされたものであり、その手段として、本発明の電波暗箱は、平板状の台座部と、底面に開口を有する中空の立体状からなり、台座部に対して開閉自在で、台座部と中空とで閉塞空間を構成する蓋部とを備え、台座部の上面には、少なくとも蓋部の底面の開口が当接する領域を含んで、シート状の電波吸収体が取り付けられ、台座部の上面の、電波吸収体の周囲には、枠状に、ソフトシールド材が取り付けられ、蓋部の底面の、開口の周囲には、枠状の折返し部が形成され、蓋部の中空を構成する内面には、折返し部も含めて、シート状の電波吸収体が取り付けられ、蓋部の底面の折返し部が、台座に取付けられた電波吸収体の周縁部と、台座に取付けられたソフトシールド材に当接するようにした。なお、上記蓋部の立体状との記述には、直方体状、立方体状、円柱状など、種々の形状を含む。
【００１４】
ソフトシールド材としては、たとえば、ウレタンに金属メッシュを巻き付けたものを用いることができる。
【００１５】
なお、台座部に取付けられたソフトシールド材の厚みは、台座部に取付けられた電波吸収体の厚みよりも大きくすることが好ましい。この場合には、蓋部を閉じた際に、蓋部の自重により、蓋部の折返し部とソフトシールド材が密着する構造となり、電波暗箱が構成する閉塞空間を、より完全な電磁波の遮蔽空間とすることができ、電磁波の遮蔽性が向上するからである。
【００１６】
また、ソフトシールド材は、グランドに接地されていることが好ましい。この場合には、蓋部もソフトシールド材を介して間接的にグランドに接地され、蓋部は安定したグランド電位を備え、蓋部が受けたノイズをグランドに落とすことができるからである。
【００１７】
さらに、蓋部のいずれかの側面と平行であり、かつ開口を含む、台座部および蓋部の任意の縦断面を見た場合に、蓋部の折返し部が台座部に取り付けられた電波吸収体に当接する線長が、蓋部の折返し部が台座部に取り付けられたソフトシールド材に当接する線長よりも大きいことが好ましい。この場合には、台座部に取り付けられた電波吸収体と、蓋部の折返し部の内面に取り付けられた電波吸収体との重なり面積が大きくなり、電波暗箱の形成する閉塞空間を、ほぼ漏れなく電波吸収体で覆うことができ、電波暗箱内で発生した電磁波を確実に減衰させることができるからである。
【発明の効果】
【００１８】
本発明の電波暗箱は、上記構成としたため、電磁波の遮蔽性が高い。しかも、構造が簡易で、真空装置なども不要であり、小型で、軽量で、コストも低い。また、真空装置を使用しないので、使用勝手も良い。
【図面の簡単な説明】
【００１９】
【図１】図１（Ａ）、図１（Ｂ）は、いずれも、本発明の実施形態にかかる電波暗箱１００を示す縦断面図であり、図１（Ａ）は蓋部が閉じた状態、図１（Ｂ）は蓋部が開いた状態を示す。
【図２】図２（Ａ）は、従来の電波暗箱２００を示す斜視図である。図２（Ｂ）は、電波暗箱２００の横断面図であり、図２（Ａ）の鎖線矢印部分を示す。
【発明を実施するための形態】
【００２０】
以下、図面とともに、本発明を実施するための形態について説明する。
【００２１】
図１（Ａ）および（Ｂ）に、本実施形態にかかる電波暗箱１００を示す。なお、図１（Ａ）、図１（Ｂ）はいずれも縦断面図であり、図１（Ａ）は蓋部が閉じた状態、図１（Ｂ）は蓋部が開いた状態を示している。
【００２２】
電波暗箱１００は、平板状の台座１を備える。台座１は、たとえば、アルミニウムなどの金属からなる。また、台座１は、たとえば、２ｍｍの厚みを有する。なお、台座１の平面的な大きさは、所望する電波暗箱１００の大きさに応じて、適宜、設定することができる。台座１は、グランドに接地されている。
【００２３】
台座１の上面の中央部には、シート状の電波吸収体２ａが取り付けられている。電波吸収体２ａは、たとえば、シリコンゴムに鉄粉を含有させたものからなる。電波吸収体２ａは、たとえば、２．７ｍｍの厚みを有する。電波吸収体２ａとしては、たとえば、本件の出願人である（株）村田製作所が市販しているＥＭＣアブソーバーの品番ＥＡ１０７５Ａ２７０を使用することができる。
【００２４】
台座１の上面の、電波吸収体２ａの周囲には、枠状に、ソフトシールド材（ソフトガスケット）３が取り付けられている。ソフトシールド材３は、たとえば、ウレタンに金属メッシュを巻き付けたものからなり、導電性を有する。また、ソフトシールド材３は、たとえば、３．５ｍｍの厚みを有している。ソフトシールド材３としては、たとえば、太陽金網（株）製のソフト・シールド、品番４０００−０３５−１２７０−５０８０を使用することができる。ソフトシールド材３は、台座１を経由するなどして、グランドに接地されている。
【００２５】
電波暗箱１００は、中空で、直方体状からなる蓋部４を備える。蓋部４は、たとえば、アルミニウムなどの金属からなる。また、蓋部４は、たとえば、２ｍｍの厚みを有する。蓋部４の底面には、矩形状の開口４ａが形成されている。そして、開口４ａの周囲には、枠状の折返し部４ｂが形成されている。なお、開口４ａの大きさおよび折返し部４ｂの幅は任意であるが、折返し部４ｂの幅が大きいほど、電磁波の遮蔽性は高くなる。
【００２６】
蓋部４の中空を構成する内面には、折返し部４ｂも含めて、シート状の電波吸収体２ｂが取り付けられている。電波吸収体２ｂには、上述した電波吸収体２ａと同じものを用いることができる。なお、電波吸収体２ｂは、上述のとおり、たとえばシリコンゴムに鉄粉を含有させたものであり、ある程度大きな重量を有しており、蓋部４の重りとしての機能も果たしている。
【００２７】
蓋部４の側面の１つには、把手５が取り付けられている。また、蓋部４の、把手５が取り付けられた側面と反対側の側面には、ゴムなどからなるストッパ６が取り付けられている。なお、ストッパ６は、蓋部４にではなく、台座１の対応する部分に取り付けるようにしても良い。
【００２８】
蓋部４は、蝶番７により、台座１に開閉自在に取り付けられている。そして、台座部１と、蓋部４の中空とで、閉塞空間が構成されている。
【００２９】
かかる構造からなる電波暗箱１００は、図１（Ｂ）に示すように、蓋部４を開いた際には、ストッパ６が台座１に当接し、蓋部４が保持される。この状態で、電波吸収シート２ａ上に、携帯電話などの試験対象を設置することができる。
【００３０】
また、図１（Ａ）に示すように、電波暗箱１００の蓋部４を閉じた際には、蓋部４の折返し部４ｂが、台座１の上面に取り付けられた電波吸収シート２ａおよびソフトシールド材３に当接する。このとき、ソフトシールド材３の厚みが電波吸収シート２ａの厚みよりも大きいため、ソフトシールド材３は蓋部４の重量により適度に変形する一方、電波吸収シート２ａは蓋部４のストッパとして機能する。上述したとおり、蓋部４の内面には、ある程度の重量を有する電波吸収体２ｂが取り付けられており、蓋部４の重量が大きくなっているため、折返し部４ｂは電波吸収シート２ａおよびソフトシールド材３に密着する。この結果、電波暗箱１００の電磁波の遮蔽性は高くなっており、たとえば、−５０ｄｂレベルの遮蔽性を得ることができる。
【００３１】
また、電波暗箱１００は、台座１および蓋部４が、いずれも、金属からなり、グランドに接地されているため、安定したグランド電位を備え、受けたノイズをグランドに落とすことができる。すなわち、台座１は、直接、グランドに接地され、蓋部４は、導電性をもつソフトシールド材３を経由して、グランドに接地されている。
【００３２】
さらに、電波暗箱１００は、電波暗箱の形成する閉塞空間が、電波吸収体２ａ、２ｂにより、ほぼ漏れなく覆われているため、電波暗箱内で発生した電磁波を確実に減衰させることができる。なお、電波吸収体２ａ、２ｂの厚みは、内部で発生した電磁波のうち、電波吸収体２ａ、２ｂの表面で反射した反射波と、電波吸収対２ａ、２ｂを通過して、台座１、蓋部４の表面で反射した反射波とが、相殺されるように設計されている。そのため、電波吸収体２ａ、２ｂの厚みは、電波暗箱１００内部において発生する電磁波の周波数に応じて、適宜、選択しなければならない。たとえば、２．４ＧＨｚの電磁波を減衰させるためには、電波吸収体２ａ、２ｂの厚みは、２．７ｍｍに設定しなければならない。
【００３３】
なお、電波暗箱１００の形成する閉塞空間を、電波吸収体２ａ、２ｂにより、確実に覆うためには、蓋部４のいずれかの側面と平行で、開口４ａを含む、電波暗箱１００の縦断面を見た場合に、折返し部４ｂが電波吸収体２ａに当接する線長が、折返し部４ｂがソフトシールド材３に当接する線長よりも大きいことが好ましい。この場合には、台座１に取り付けられた電波吸収体２ａと、蓋部４の折返し部４ｂに取り付けられた電波吸収体２ｂとの重なり面積が、より大きくなるからである。
【００３４】
以上、本発明の実施形態にかかる電波暗箱１００について説明した。しかしながら、本発明がこの内容に限定されることはなく、発明の主旨に沿って、種々の変更をなすことができる。
【００３５】
たとえば、蓋部４の形状は、立方体状であっても良い。また、蓋部４の底面に形成される開口４ａの形状も任意である。
【００３６】
また、台座１や蓋部４の材質は、アルミニウムの代わりに他の金属を用いても良い。さらに、台座１や蓋部４の厚みも２ｍｍには限られない。
【００３７】
また、電波吸収体２ａ、２ｂやソフトシールド材３の材質や厚みも、上述したものには限られない。なお、電波吸収体２ａ、２ｂの厚みは、上述したとおり、減衰させたい電磁波の周波数に応じて、適宜、選択することができる。
【符号の説明】
【００３８】
１：台座
２ａ、２ｂ：電波吸収体
３：ソフトシールド材
４：蓋部
４ａ：開口
４ｂ：折返し部
５：把手
６：ストッパ
７：蝶番
【図１】
2012195450.tif 000003
【図２】
2012195450.tif 000004